【手続補正書】
【提出日】平成29年12月14日(2017.12.14)
【手続補正１】
【補正対象書類名】特許請求の範囲
【補正対象項目名】全文
【補正方法】変更
【補正の内容】
【特許請求の範囲】
【請求項１】
歩行者によって携行され、所定の周波数帯の電波を用いて、前記歩行者の属性を示す属性情報と、固有の識別情報を含む歩行者情報パケットを送信する発信器（１）と、
所定の収集エリア内に存在する前記発信器から送信される前記歩行者情報パケットを受信するように、道路上又は施設内の所定の位置に配置される複数の通行者情報収集装置（２）と、
複数の前記通行者情報収集装置の外部に設けられるセンタ（３）と、
車両で用いられる車両用端末（４）と、を備え、
複数の前記通行者情報収集装置、前記センタ、及び前記車両用端末のそれぞれは、広域通信網を介した通信である広域通信を実施可能に構成されており、
複数の前記通行者情報収集装置及び前記車両用端末のそれぞれは、広域通信網を介さない通信である狭域通信を実施可能に構成されており、
前記センタは、
複数の前記通行者情報収集装置のそれぞれが受信した前記歩行者情報パケットに示されている前記属性情報及び前記識別情報を、当該歩行者情報パケットを受信した前記通行者情報収集装置の位置を示す位置情報及び前記属性情報を受信した時刻を示す受信時刻情報と対応付けた通行者情報としてデータベース（３３）に格納する格納処理部（３２１、Ｆ４）と、
前記データベースに格納されている前記通行者情報に基づいて、前記収集エリアを通行する車両の運転者にとって注意すべき歩行者種別を示す注意対象種別と、その注意対象種別を注意すべき時間帯とを示す注意対象情報を配信用情報として生成する配信用情報生成装置（３４）と、
前記配信用情報生成装置が生成した前記注意対象情報を広域通信によって、前記通行者情報収集装置に定期配信するとともに、前記車両用端末からの要求に基づいて前記車両用端末に配信する広域配信装置（３２２、３１）と、を備え、
前記通行者情報収集装置は、前記センタから取得した前記注意対象情報を狭域通信によって前記車両用端末に配信する狭域配信装置（２２、Ｆ６）を備え、
前記車両用端末は、
前記センタが備える前記広域配信装置から前記車両用端末の現在位置に応じた前記注意対象情報を取得する注意対象情報取得部（Ｇ５ａ）と、
前記通行者情報収集装置が備える前記狭域配信装置から狭域通信によって逐次配信される前記注意対象情報を取得する狭域通信処理部（Ｇ４）と、
前記狭域通信処理部が前記注意対象情報を受信した場合に、当該注意対象情報に示される前記歩行者種別について注意するように促す情報を所定の情報出力装置から出力する報知処理を実施するとともに、前記注意対象情報取得部が前記注意対象情報を受信した場合にもその受信した注意対象情報に基づいた前記報知処理を実施する報知処理部（Ｇ６）と、を備え、
前記報知処理部は、前記注意対象情報取得部及び前記狭域通信処理部の両方で、同一の前記収集エリアについての前記注意対象情報を取得できている場合には、前記狭域通信処理部が取得している前記注意対象情報に基づいた前記報知処理を実施する一方、前記注意対象情報取得部が取得した前記注意対象情報に基づく前記報知処理はキャンセルすることを特徴とする情報配信システム。
【請求項２】
請求項１において、
前記配信用情報生成装置は、前記データベースに格納されている複数の前記通行者情報に基づいて、前記収集エリアを通行する歩行者の時間帯毎の通行量及び人員構成を特定する人員構成特定部（３４１）を備えており、前記人員構成特定部が特定した時間帯毎の人員構成及び通行量に基づいて前記注意対象情報を生成することを特徴とする情報配信システム。
【請求項３】
請求項２において、
前記配信用情報生成装置は、前記人員構成特定部が特定した時間帯毎の人員構成及び通行量に基づき、前記収集エリアを通行する車両の運転者にとって注意すべき歩行者種別を示す注意対象種別と、その注意対象種別を注意すべき時間帯とを示す情報を、前記注意対象情報として生成することを特徴とする情報配信システム。
【請求項４】
請求項３において、
前記通行者情報収集装置は、
衛星航法システムが備える航法衛星が送信する航法信号を受信することで、前記通行者情報収集装置の現在位置を特定する現在位置特定部（２５）と、
前記発信器からの前記属性情報を受信した場合に、その受信した前記歩行者情報パケットに示されている前記属性情報及び前記識別情報を、前記受信時刻情報と、前記歩行者情報パケットを受信した時点において前記現在位置特定部が特定している現在位置を示す位置情報と、を含むアップロードデータを生成し、当該アップロードデータを前記広域通信によって前記センタに送信するアップロード部（Ｆ５ａ）と、を備え、
前記センタが備える前記格納処理部は、前記通行者情報収集装置から送信されてくる前記アップロードデータに含まれる、前記属性情報、前記識別情報、前記受信時刻情報、前記位置情報を対応付けて前記データベースに格納することを特徴とする情報配信システム。
【請求項５】
請求項４において、
前記通行者情報収集装置は、前記広域通信によって前記センタから前記注意対象情報を取得する配信用情報取得部（Ｆ５ｂ）を備え、
前記狭域配信装置は、前記配信用情報取得部が取得した前記注意対象情報のうち、現在時刻と対応する前記注意対象情報を、前記狭域通信が可能なエリア内に存在する前記車両用端末に対して前記狭域通信によって配信するように構成されていることを特徴とする情報配信システム。
【請求項６】
請求項４又は５において、
前記格納処理部は、前記アップロードデータに含まれる種々の情報を、当該アップロードデータの送信元である前記通行者情報収集装置と対応付けて前記データベースに格納することを特徴とする情報配信システム。
【請求項７】
請求項６において、
前記広域通信を実施可能に構成されているユーザ側の通信端末としての広域通信端末（５）を備え、
前記広域通信端末は、
特定の前記収集エリアについての前記注意対象情報を取得するためのユーザの操作を受け付ける操作受付部（５４）と、
前記操作受付部が前記操作を受け付けたことに基づいて、前記広域通信を介して前記センタに、ユーザ操作によって指定された前記収集エリアについての前記注意対象情報の配信を要求する注意対象情報要求部（５５）と、を備え、
前記センタは、前記広域通信を介した前記注意対象情報要求部からの要求を受け付ける注意対象情報要求受付部（３２３）を備え、
前記広域配信装置は、前記注意対象情報要求受付部が受け付けた要求に対応する前記注意対象情報を、前記広域通信端末に配信することを特徴とする情報配信システム。
【請求項８】
請求項１から７の何れか１項において、
前記発信器は、
前記属性情報と前記識別情報を記憶する、書き換え可能であって且つ不揮発性の記憶媒体であるメモリ（１３）と、
前記メモリに登録されているデータの読み出し及び書き換えを行うためのリーダライタと近接場通信を実施する近接場通信部（１２）と、を備え、
前記発信器は、前記リーダライタと前記発信器とを近接場通信させることによって、前記メモリに登録されている前記属性情報の参照及び書き換えを実施可能に構成されていることを特徴とする情報配信システム。
【手続補正２】
【補正対象書類名】明細書
【補正対象項目名】０００７
【補正方法】変更
【補正の内容】
【０００７】
その目的を達成するための本発明は、歩行者によって携行され、所定の周波数帯の電波を用いて、歩行者の属性を示す属性情報と、固有の識別情報を含む歩行者情報パケットを送信する発信器（１）と、所定の収集エリア内に存在する発信器から送信される歩行者情報パケットを受信するように、道路上又は施設内の所定の位置に配置される複数の通行者情報収集装置（２）と、複数の通行者情報収集装置の外部に設けられるセンタ（３）と、車両で用いられる車両用端末（４）と、を備え、複数の通行者情報収集装置、センタ、及び車両用端末のそれぞれは、広域通信網を介した通信である広域通信を実施可能に構成されており、複数の通行者情報収集装置及び車両用端末のそれぞれは、広域通信網を介さない通信である狭域通信を実施可能に構成されており、センタは、複数の通行者情報収集装置のそれぞれが受信した歩行者情報パケットに示されている属性情報及び識別情報を、当該歩行者情報パケットを受信した通行者情報収集装置の位置を示す位置情報及び属性情報を受信した時刻を示す受信時刻情報と対応付けた通行者情報としてデータベース（３３）に格納する格納処理部（３２１、Ｆ４）と、データベースに格納されている通行者情報に基づいて、収集エリアを通行する車両の運転者にとって注意すべき歩行者種別を示す注意対象種別と、その注意対象種別を注意すべき時間帯とを示す注意対象情報を配信用情報として生成する配信用情報生成装置（３４）と、配信用情報生成装置が生成した注意対象情報を広域通信によって、通行者情報収集装置に定期配信するとともに、車両用端末からの要求に基づいて車両用端末に配信する広域配信装置（３２２、３１）と、を備え、通行者情報収集装置は、センタから取得した注意対象情報を狭域通信によって車両用端末に配信する狭域配信装置（２２、Ｆ６）を備え、車両用端末は、センタが備える広域配信装置から車両用端末の現在位置に応じた注意対象情報を取得する注意対象情報取得部（Ｇ５ａ）と、通行者情報収集装置が備える狭域配信装置から狭域通信によって逐次配信される注意対象情報を取得する狭域通信処理部（Ｇ４）と、狭域通信処理部が注意対象情報を受信した場合に、当該注意対象情報に示される歩行者種別について注意するように促す情報を所定の情報出力装置から出力する報知処理を実施するとともに、注意対象情報取得部が注意対象情報を受信した場合にもその受信した注意対象情報に基づいた報知処理を実施する報知処理部（Ｇ６）と、を備え、報知処理部は、注意対象情報取得部及び狭域通信処理部の両方で同一の注意対象情報を取得できている場合には、狭域通信処理部が取得している注意対象情報に基づいた報知処理を実施する一方、注意対象情報取得部が取得した注意対象情報に基づく報知処理はキャンセルすることを特徴とする。